(57)【要約】【課題】表面をざらつかせることなく、金属光沢を発現する外表面上に、艶消しクリアー塗装を施すことにより、取扱い時の触感の良い、艶消し金属感装飾を施した製品を得ることを目的とする。【解決手段】金属光沢を発現する外表面２を有する本体１と、この本体１の外表面２を覆って位置し、平均粒径が１．８μｍ以下の光拡散剤を添加剤として添加した透明または半透明な合成樹脂材料で成形された艶消し体４と、から成り、艶消し体４の光拡散効果により、深みのある、淡い柔らか味のある金属光沢を発現させる。【選択図】              図１
2005014408.tif 000002
【特許請求の範囲】
【請求項１】
金属光沢を発現する外表面（２）を形成した本体（１）と、該本体（１）の外表面（２）を覆って位置し、平均粒径が１．８μｍ以下の光拡散剤を添加剤として添加した透明または半透明な合成樹脂材料で成形された艶消し体（４）と、から成る艶消し装飾製品。
【請求項２】
本体（１）を合成樹脂材料で成形し、該本体（１）の表面に、真空蒸着、メッキさらにはスパッタリングの何れか一つで形成した金属被膜（３）を設け、該金属被膜（３）で外表面（２）を形成した請求項１記載の艶消し装飾製品。
【請求項３】
艶消し体（４）を、予め一定形状に成形され、本体（１）の外表面（２）を覆って組付けられる外殻体（５）で構成した請求項１または２記載の艶消し装飾製品。
【請求項４】
艶消し体（４）を、本体（１）の外表面（２）に、塗布により被覆形成された塗膜（６）で構成した請求項１または２記載の艶消し装飾製品。
【発明の詳細な説明】
【０００１】
【発明の属する技術分野】
本発明は、金属光沢を発現する外表面の光輝性を抑え、かつ充分な平滑性を維持した、深みのある艶消し装飾を施した構造に関するものである。
【０００２】
【従来の技術】
金属光沢を発現する外観を装飾として利用したものの内、この金属光沢を発現する外表面上に、クリアー塗料に艶消し剤（光拡散剤）を添加した艶消しクリアー塗装を施したものが、艶消し剤を含まないフルグロスのものに比べ、より高級感が得られることから好まれている（特許文献１参照）。
【０００３】
【特許文献１】
特開２００２−１３７３２９号公報
【０００４】
【発明が解決しようとする課題】
しかしながら、単に、金属光沢を発現する外表面上に、艶消しクリアー塗装を施したものにあっては、クリアー塗料中に添加された艶消し剤のために、表面の平滑性が失われ、表面がざらついた触感となってしまうため、取扱い時の感触が悪くなる、と云う問題があった。
【０００５】
そこで、本発明は、上記した従来技術における問題点を解消すべく創案されたもので、表面をざらつかせることなく、金属光沢を発現する外表面上に、艶消しクリアー塗装を施すことを技術的課題とし、もって取扱い時の触感の良い、艶消し金属感装飾を施した製品を得ることを目的とする。
【０００６】
【課題を解決するための手段】
上記技術的課題を解決する本発明の内、請求項１記載の発明の手段は、
金属光沢を発現する外表面を形成した本体を有すること、
この本体の外表面を覆って位置し、平均粒径が１．８μｍ以下の光拡散剤を添加剤として添加した透明または半透明な合成樹脂材料で成形された艶消し体を有すること、
にある。
【０００７】
この請求項１記載の発明にあっては、本体の金属光沢を発現する外表面は、光拡散剤を添加した透明な合成樹脂材料により成形された艶消し体で覆われているので、外観として金属光沢の鋭い光輝は発現されず、淡くぼやけたようなかつ深みのある輝きが、外観として現出されることになる。
【０００８】
また、艶消し体を成形する透明または半透明な合成樹脂材料に添加される光拡散剤は、その平均粒径が１．８μｍ以下と、非常に細かい粒子であるので、この光拡散剤の粒子の存在を、人間の触感で認識することができず、このため艶消し体の表面、すなわち艶消し装飾製品の表面は、触感的には平滑なものとなる。
【０００９】
請求項２記載の発明は、請求項１記載の発明の手段に、本体を合成樹脂材料で成形し、この本体の表面に、真空蒸着、メッキさらにはスパッタリングの何れか一つで形成した金属被膜を設け、この金属被膜で外表面を形成したこと、を加えたものである。
【００１０】
この請求項２記載の発明にあっては、合成樹脂製品に施すことのできる金属感装飾の変化範囲を、大幅に拡大することができると共に、得られる装飾効果が、より高級感の富んだものとなる。
【００１１】
請求項３記載の発明は、請求項１または２記載の発明の手段に、艶消し体を、予め一定形状に成形され、本体の外表面を覆って組付けられる外殻体で構成したこと、を加えたものである。
【００１２】
この請求項３記載の発明にあっては、艶消し体の肉厚を自由に設定することができるので、現出される装飾効果を、立体感の富んだものとすることができ、また得られる製品の表面形状を自由に設定することができる。
【００１３】
請求項４記載の発明は、請求項１または２記載の発明の手段に、艶消し体を、本体の外表面に、塗布により被覆形成された塗膜で構成したこと、を加えたものである。
【００１４】
この請求項４記載の発明にあっては、艶消し体の成形が容易であると共に、本体に対する艶消し体の組付け固定が、強固に簡単に達成される。
【００１５】
【発明の実施の形態】
以下、本発明の実施例を、図面を参照しながら説明する。
図１および図２は、コンパクト容器の蓋体に施した本発明の第一の実施形態を示したもので、コンパクト容器の蓋体の主体部分である合成樹脂製の本体１と、この本体１の外表面２全域を覆って被覆状に組付けられる、艶消し体４を構成する外殻体５とから構成されている。
【００１６】
本体１は、コンパクト容器の蓋体の機能を発揮する構成となっており、その上面全域に、真空蒸着、メッキさらにはスパッタリングの何れか一つで金属被膜３を被覆形成することにより、金属光沢を発現する外表面２（図２参照）を形成している。
【００１７】
艶消し体４を構成する外殻体５は、平均粒径が１．８μｍ以下の光拡散剤を添加剤として１〜５重量％の割合で添加した透明または半透明な合成樹脂材料で、本体１の外表面２に沿った形状の板状に射出成形されている。
【００１８】
この外殻体５は、淡い半透明となっているので、本体１に組付けた状態では、外表面２が発現している金属光沢の鋭い輝きは消え、くすんで、淡くぼやけた輝きが現出される。
【００１９】
そして、この外殻体５は、ある程度の厚さを有する射出成形品であるので、現出される淡い輝きは、ぼやけた外観体裁から得られる深みに、さらに厚さにより得られる深みが加えられ、全体として充分な深みのある淡い輝きが現出されることになる。
【００２０】
図３および図４は、繰り出し容器のキャップ体に施した本発明の第二の実施形態を示したもので、繰り出し容器のキャップ体の主体部分である合成樹脂製の有頂円筒状をした本体１と、この本体１の外表面２全域を覆って塗布形成された、艶消し体４を構成する塗膜６とから構成されている。
【００２１】
本体１の外表面２は、第一の実施形態と同様に、金属被膜３により形成されており、この外表面２を被覆する塗膜６は、平均粒径が１．８μｍ以下の光拡散剤を添加剤として１〜５重量％の割合で添加した、透明または半透明な合成樹脂塗料により塗布成形されている。
【００２２】
この塗膜６は、第一の実施形態の外殻体５と同様に、淡い半透明となり、外表面２が発現している金属光沢の鋭い輝きを消し、くすんで、淡くぼやけた輝きを現出させることになるが、射出成形品である外殻体５に比べて厚みが小さい分、現出される深みが少ないものとなる。
【００２３】
また、塗膜６は、本体１の外表面２に塗布成形されるものであるので、その成形がきわめて容易であり、またその厚みが小さいので、繰り出し容器のように、小型化が求められる製品への適用が、きわめて有効となる。
【００２４】
なお、艶消し体４は、無色、有色の何れであっても良く、無色の場合には、金属被膜３が発現する金属色を、そのままぼやかした状態で現出させることになるが、有色の場合には、金属被膜３が発現する金属色と艶消し体４の色との合成により、他の所望する金属色を現出させることが可能となる。
【００２５】
【発明の効果】
本発明は、上記した構成となっているので、以下に示す効果を奏する。
請求項１記載の発明にあっては、淡くぼやけたようなかつ深みのある金属感のある柔らかな輝きが、外観として現出されるので、落ち着きのあるそして高級感に富んだ外観体裁を現出させることができる。
【００２６】
また、艶消し体を成形する合成樹脂材料に添加される光拡散剤は、その平均粒径が１．８μｍ以下と、非常に細かい粒子であるので、この光拡散剤の粒子の存在を、人間の触感で認識することができず、それゆえ艶消し体の表面、すなわち艶消し装飾製品の表面は、触感的には平滑なものとなり、滑らかで良好な触感を得ることができる。
【００２７】
請求項２記載の発明にあっては、合成樹脂製品に施すことのできる金属感装飾の変化範囲を、大幅に拡大することができ、得られる装飾効果が、より高級感の富んだものとなるので、金属感装飾の効果を飛躍的に高めることができる。
【００２８】
請求項３記載の発明にあっては、現出される装飾効果を、立体感の富んだものとすることができ、また得られる製品の表面形状を自由に設定することができるので、外観形状に個性のある製品を得ることができる。
【００２９】
請求項４記載の発明にあっては、艶消し体の成形が容易であると共に、本体に対する艶消し体の組付け固定が、強固に簡単に達成されるので、艶消し装飾製品の製作が容易である。
【図面の簡単な説明】
【図１】本発明の第一の実施形態の構成例を示す、一部破断全体斜視図。
【図２】図１に示した構成例の壁構造を示す、拡大断面図。
【図３】本発明の第二の実施形態の構成例を示す、半縦断正面図。
【図４】図３に示した構成例の丸印した部分の、拡大詳細図。
【符号の説明】
１  ；  本体
２  ；  外表面
３  ；  金属被膜
４  ；  艶消し体
５  ；  外殻体
６  ；  塗膜
【図１】
2005014408.tif 000003
【図２】
2005014408.tif 000004
【図３】
2005014408.tif 000005
【図４】
2005014408.tif 000006